(57)【要約】【課題】  メガネフレームのフロント部両側に設けたヨロイにツルを折畳み出来るように取付けたツル継手構造であって、より簡単な構造にて製作コストが安く、しかし折畳み操作するツルが何時までもガタ付くことのないツル継手構造の提供。【解決手段】  ヨロイ３は細い線材を用いて先端には一部に開口を有したヨロイ側リング９を形成し、一方のツル端にも一部に開口を有したツル側リング１０を形成し、両リング９，１０には上下端にツバ１３ａ，１３ｂを有す樹脂製の軸８を嵌めると共に、リング内径は軸外径より僅かに小さいマイナス公差とし、ツル７のツル側リング端には該ツル７の開き度を規制するためのストッパー１２を形成している。【選択図】    図２
0003115133.tif 000002
【実用新案登録請求の範囲】
【請求項１】
メガネフレームのフロント部両側に設けたヨロイにツルを折畳み出来るように取付けたツル継手構造において、上記ヨロイは細い線材を用いて先端には一部に開口を有したヨロイ側リングを形成し、一方のツル端にも一部に開口を有したツル側リングを形成し、両リングには上下端にツバを有す樹脂製の軸を嵌めると共に、リング内径は軸外径より僅かに小さいマイナス公差とし、ツルのリング端には該ツルの開き度を規制するためのストッパーを形成したことを特徴とするメガネフレームのツル継手構造。
【請求項２】
上記ヨロイのリング端には係止片を設け、この係止片を軸端のツバを切欠いた切欠き溝に係止した請求項１記載のメガネフレームのツル継手構造。
【考案の詳細な説明】
【技術分野】
【０００１】
本考案は構造が簡単でツルがガタ付くことなく何時までも安定した折畳み操作が出来るメガネフレームのツル継手構造に関するものである。
【背景技術】
【０００２】
メガネにはフロント部の両側にツルを備えていて折畳むことが出来る。すなわち、メガネを顔に掛ける場合に両ツルを開き、顔から外した場合には両ツルは折畳んで閉じられる。ところで、メガネのツルは一般に蝶番を介して折畳み出来るように取付けられているが、該蝶番は非常に小さくて長いツルを支えるには大きな負担がかかる。従って、ツルの折畳み操作に伴って蝶番の摺動面は摩耗し、その結果、ツルはガタ付きを生じて掛けているメガネが位置ズレするなど、安定性が損われる。勿論、蝶番に限らず他の継手構造とした場合にも同じように摺動面が摩耗してガタ付きを発生する。
【０００３】
図４は従来から用いられているメガネフレームの蝶番を示す外観図である。同図に示すように、該蝶番は蝶片(イ)、(ロ)が軸ネジ(ハ)により連結されて屈曲することが出来る構造と成っていて、一方の蝶片(イ)はその接合面(ヘ)がヨロイ(ニ)にロウ付けされ、他方の蝶片(ロ)の接合面(ト)がツル(ホ)にロウ付けされる。従って、ツル(ホ)は該蝶番を介して折畳むことが出来る。
【０００４】
ところで、該蝶番を介して取付けられるツル(ホ)はロウ付けしなくてはならず、メガネフレームの材質によってはロウ付け不能な場合もあり、又小さな蝶番を製作することは容易でなくコストは高くなる。そして、各蝶片(イ)、(ロ)の摺動面が早期に摩耗してしまう。
【０００５】
従来においてもツル継手構造に関する特許出願は色々成されている。特開２００２−２０７１９８号に係る「メガネフレームのツル継手構造」は、非常にコンパクトで、又構造が簡単な故に故障することのない構造と成っている。すなわち、ヨロイ先端には軸受けを備えると共に軸受けの軸穴には円形ツバを形成した軸を回転可能に嵌め、そして軸にはツルを連結して軸穴から外側に貫通したスライド溝に沿ってツルは開閉することが出来、スライド溝を形成するガイド片の一部にはツルが挿通する大きさの切欠き部を有し、そして軸部の外周面には押圧部を当接してバネ力を付勢している。
【０００６】
特開２００１−１８３６０７号に係る「メガネフレームのツル継手構造」は、フロント部の両側に設けているヨロイとツルは凹凸部を介して互いに噛合わせて継手部を設け、この継手部には軸穴を貫通して設け、貫通した軸穴にはツバを形成したブッシュを嵌め、そしてブッシュ穴にはツバを備えたピンを反対側から圧入し、このピンは中間部の外径を僅かに大きくした太鼓型としている。
【０００７】
上記ツル継手構造の他にも、特開２０００−１６２５５３号に係る「ツル継手及びツル継手構造」、特開平１１−２１８７２７号に係る「メガネフレームのツル継手構造」などが知られている。
【特許文献１】特開２００２−２０７１９８号に係る「メガネフレームのツル継手構造」
【特許文献２】特開２００１−１８３６０７号に係る「メガネフレームのツル継手構造」
【特許文献３】特開２０００−１６２５５３号に係る「ツル継手及びツル継手構造」
【特許文献４】特開平１１−２１８７２７号に係る「メガネフレームのツル継手構造」
【考案の開示】
【考案が解決しようとする課題】
【０００８】
このように、従来のツル継手構造は複雑であり上記のごとき問題がある。本考案が解決しようとする課題はこの問題点であって、より簡単な構造にて製作コストが安く、しかし折畳み操作するツルが何時までもガタ付くことのないツル継手構造を提供する。
【課題を解決するための手段】
【０００９】
本考案のツル継手構造は、フロント部両側に設けたヨロイ先端にはリングを形成し、このリングに樹脂製軸を嵌着している。そしてツル端にも同じくリングを形成し、このリングを上記軸に嵌めてツルの折畳み操作を可能としている。ここで、上記樹脂製の軸は上下端にツバを有していて、リングから外れ落ちることがない形状としている。
【００１０】
又、ヨロイ先端に形成するリング、及びツル端に形成されるリングには開口を設け、この開口を拡げて軸に嵌着できるようにしている。従って、リング内径は軸外径に対して僅かに小さくし、マイナスクリアランスを有している。そして、ツルのリング端を曲げてストッパーを有している。このストッパーはツルを開いた状態でヨロイ側に設けたリングに係止することでツルの開き度が規制される。一方、上記軸のツバに切欠きを設け、この切欠きにヨロイのリング先端に設けた係合片を係合するように構成することもある。
【考案の効果】
【００１１】
本考案のツル継手構造は、ヨロイ先端に設けたリングとツル端に設けたリングを樹脂製の軸を介して連結して構成している。ヨロイ及びツル端のリングは金属線材を曲げ成形し、軸は樹脂製の成形部品であり、継手構造は至って簡単と成る。そして、軸を嵌めるリングはマイナスクリアランスとしていることで、ツルの旋回動作がガタ付くことなくスムーズな折畳み操作が可能と成る。又、継手の組立てはリングの開口を拡げて軸を嵌めることが可能であり、一旦嵌った軸の上下端にはツバを設けているために外れ落ちることもない。
【実施例】
【００１２】
図１は本考案に係るツル継手を備えたメガネを表している。このメガネは縁なしメガネと称してリムを持たず、両レンズ１，１は連結部材２によって直接ネジ止めされ、又レンズ外側にはヨロイ３，３がネジ止めされている。そして、連結部材２から脚４，４を延ばし、先端には鼻当てパット５，５が取付けられている。そして、ヨロイ３の先端には継手部６を介してツル７が折畳み出来るように取付けられている。
【００１３】
図２は本考案に係るツル継手構造を示す実施例であり、(ａ)は組み立て図、(ｂ)は展開図を表している。このツル継手構造は軸８とヨロイ側リング９、及びツル側リング１０で構成され、上記ヨロイ側リング９及びツル側リング１０は完全なリング体ではなく、一部に開口１１，１１を有している。そして、ツル側リング１０の先端には下方へ延びるストッパー１２が形成されている。
【００１４】
ヨロイ３及びツル７は細い金属製線材にて構成され、ヨロイ３及びツル７の端部を曲げ加工してヨロイ側リング９及びツル側リング１０が形成されている。一方、軸８は樹脂製であって、その上端及び下端にはツバ１３ａ，１３ｂが設けられている。ところで、ヨロイ側リング９の開口１１を拡げて軸８を嵌め、同じくツル側リング１０の開口１１を拡げて軸８を嵌めることが出来、図２(ａ)に示すツル継手構造となる。
【００１５】
ここで、ヨロイ側リング９の内径及びツル側リング１０の内径は軸８の外径より僅かに小さく成っていて、軸８を嵌めることで各リング９，１０との間に僅かな隙間を発生しない為に該軸８はガタ付くことなく嵌り、ツル７のスムーズな折畳み操作が出来る。そして、ツル７のツル側リング１０にはストッパー１２が設けられ、ツル７を開く際には該ストッパー１２がヨロイ３のヨロイ側リング９に当ってその回動角度が規制される。
【００１６】
図３は本考案に係るツル継手構造を示す他の実施例である。基本的な構造は前記図２に示した継手部と共通するが、該実施例の場合にはヨロイ３の先端に設けたヨロイ側リング９に嵌る樹脂製軸８が回転しないように固定した構造と成っている。すなわち、ヨロイ側リング９の先端には係止片１５を下方へ屈曲して設け、この係止片を軸８の下ツバ１６ｂに形成した切欠き溝１４に嵌めている。
【００１７】
従って、軸８はヨロイ側リング９に固定されてツル７を折畳み操作するに際して、ツル側リング１０は軸８を基にして回転することが出来る。勿論、ツル側リング１０の先端には前記実施例の場合と同じくストッパー１２が下方へ屈曲して形成されている為に、ツル７の開き度は規制される。
【図面の簡単な説明】
【００１８】
【図１】本考案のツル継手構造を備えた縁無しメガネ。
【図２】本考案のツル継手構造を示す実施例。
【図３】本考案のツル継手構造を示す他の実施例。
【図４】従来の蝶番。
【符号の説明】
【００１９】
１  レンズ
２  連結部材
３  ヨロイ
４  脚
５  鼻当てパット
６  継手
７  ツル
８  軸
９  ヨロイ側リング
10  ツル側リング
11  開口
12  ストッパー
13  ツバ
14  切欠き溝
15  係止片
16  ツバ
【図１】
0003115133.tif 000003
【図２】
0003115133.tif 000004
【図３】
0003115133.tif 000005
【図４】
0003115133.tif 000006